(57)【要約】      （修正有）【課題】水勢等が変化した場合でも排水の流れを安定させることにより、流量やサイホン現象の発生等をコントロール可能な排水配管を提供する。【解決手段】略円筒状の接続部材３は内部に平面視略くの字状のガイド部１７ａより成るガイド部１７を備えている。又、ガイド部１７によって誘導された排水が流入する位置には弁体２０の低圧可動部２６が配置されている。流入口４より流入した排水は上記ガイド部１７によって配管の中央へ向けて誘導されるとともに、渦流を生じさせながら弁体２０の低圧可動部２６に流入する。【選択図】図９
2014156754.tif 000002
【特許請求の範囲】
【請求項１】
上流からの排水を下流へと排出する排水配管であって、
上記上流より流入した排水を配管の中央へと誘導すると共に、該排水が渦流を形成するよう付勢するガイド構造を備えたことを特徴とする排水配管。
【請求項２】
上記排水配管は、
通常時には排水流路を閉塞することによって下流側からの臭気や流体等の逆流を防止し、且つ上流からの圧力付与時には流路を開放することによって排水を下流へと排出する逆流防止装置を有し、
上記逆流防止装置は、上流からの圧力によって作動する弁体を有し、
上記弁体は、上記圧力が低圧でも容易に作動して流路を開放する低圧可動部を有し、
前記低圧可動部は、前記ガイド構造によって誘導された排水が流入する位置に配置されていることを特徴とする請求項１に記載の排水配管。
【請求項３】
上流からの排水を下流へと排出する排水配管であって、
排水の流入を誘導するガイド構造と、
通常時には排水流路を閉塞することによって下流側からの臭気や流体等の逆流を防止し、且つ上流からの圧力付与時には流路を開放することによって排水を下流へと排出する逆流防止装置とを有し、
上記逆流防止装置は、上流からの圧力によって作動する弁体を有し、
上記弁体は、上記圧力が低圧でも容易に作動して流路を開放する低圧可動部を有し、
前記低圧可動部は、前記ガイド構造によって誘導された排水が流入する位置に配置されていることを特徴とする排水配管。
【請求項４】
前記ガイド構造が、上流から流入した排水が渦流を形成するよう付勢することを特徴とする請求項３に記載の排水配管。
【請求項５】
前記弁体が、略筒状にして弾性を有する素材からなり、
下方に進むにつれて、対向する面に対して漸次近接するよう傾斜を設けた傾斜面と、
前記傾斜面が対向する面と当接することによって形成される開閉部を備えることを特徴とする請求項３又は請求項４に記載の排水配管。
【請求項６】
前記開閉部の中心近傍が、上流からの排水の当接時において、当該開閉部の端部よりも容易に可動する低圧可動部であることを特徴とする請求項５に記載の排水配管。
【請求項７】
前記排水配管が、上流側の横管と下流側の縦管が接続される位置に配置されていることを特徴とする請求項１乃至請求項６のいずれか１つに記載の排水配管。
【発明の詳細な説明】
【技術分野】
【０００１】
本発明は、設備機器からの排水流路中に配置される排水配管に関するものである。
【背景技術】
【０００２】
従来、洗面台やシンク等、使用によって排水が発生する設備機器には、発生した排水を下流側（下水側）へと排出する排水配管が接続されている。
【０００３】
当該排水配管においては、上流から流入した排水の流れは水勢・水温その他の状況により都度変化する。従って、排水流量等は設備機器の使用の都度変化し、不安定であった。又、排水配管はその管内が満水状態になった際、サイホン現象と呼ばれる引き込み現象が発生するが、上記の通り排水の流れは不安定であるため、当該サイホン現象の発生も不安定であった。
さらに、後述する特許文献１に記載の発明のように、排水配管がその流路中に逆流防止装置等の装置を有する場合、都度変化する排水の流れによって装置が良好に作動しないことがあった。
【０００４】
特許文献１に記載の排水配管は、横管と縦管が接続される位置に配置され、内部に、上流から一定の圧力が付与された時にのみ流路を開放する開閉部を備えた弁体を有する逆流防止装置を有している。
上記弁体は略筒状にして弾性を有する素材より形成されており、上方近傍より下方に向けて、対向する面に対して近接する傾斜面を有し、当該傾斜面同士が当接することによって開閉部を形成している。即ち、開閉部は円筒の一端を押し潰し、軸上で重ね合わせた形状をしている。尚、上記開閉部は通常時（上流から一定の圧力（正圧）が付与されておらず、又、下流側からも一定の圧力（負圧）が付与されていない状態）においては閉塞しており、下流側からの臭気や排水、害虫等の逆流を防ぐことができる。
【０００５】
設備機器等の使用により排水が発生した際、該排水は排水配管を通り、弁体へと流入する。そして、上流側より流入した排水は、弁体内部より開閉部に対して圧力を加え、開閉部を押し広げ、下流へと排出される。
又、上記排水が終了すると開閉部は再び閉塞し、下流側からの臭気や排水、害虫等の逆流を防止する。
【０００６】
尚、特許文献１に記載の排水配管においては、弁体を着脱可能であり、装置より弁体を取り外して清掃することが可能な構造となっている。
【先行技術文献】
【特許文献】
【０００７】
【特許文献１】特開２０１３−１４８７８号公報
【発明の概要】
【発明が解決しようとする課題】
【０００８】
上記特許文献１に備えられた弁体の開閉部は、上述のように円筒の一端を押し潰し、軸上で重ね合わせた形状をしているため、当該開閉部の中央近傍と開閉部の端部（外周側端部）では、上流側からの圧力に対する開き易さ（作動のし易さ）が大きく異なる。
従って、開閉部の中央近傍に対して上流側から圧力が付与された場合は容易に開閉部が作動するが、開閉部の端部（外周側端部）に対して上流側から圧力が付与された場合は開閉部が良好に作動しない。
即ち、特許文献１に記載の排水配管では、排水の流れや弁体を取り付けた際の方向等多数の要素により、弁体に圧力が付与される位置が安定せず、排水性能が安定していなかった。
【０００９】
そこで本発明は、水勢等が変化した場合でも排水の流れを安定させることにより、流量やサイホン現象の発生等をコントロール可能であり、特に、当該排水配管が逆流防止装置等の装置を有する場合について、弁体等部材の取り付け方向や排水の水勢等の要素が変動した場合であっても、安定した排水性能を発揮可能である排水配管を提供することを課題とする。
【課題を解決するための手段】
【００１０】
上記課題を解決するための請求項１に記載の本発明は、上流からの排水を下流へと排出する排水配管であって、
上記上流より流入した排水を配管の中央へと誘導すると共に、該排水が渦流を形成するよう付勢するガイド構造を備えたことを特徴とする排水配管である。
【００１１】
尚、上記「通常時」とは、装置の上流側から一定の圧力（正圧）が付与されておらず、又、下流側からも一定の圧力（負圧）が付与されていない状態を指す。
【００１２】
請求項２に記載の本発明は、上記排水配管は、
通常時には排水流路を閉塞することによって下流側からの臭気や流体等の逆流を防止し、且つ上流からの圧力付与時には流路を開放することによって排水を下流へと排出する逆流防止装置を有し、
上記逆流防止装置は、上流からの圧力によって作動する弁体を有し、
上記弁体は、上記圧力が低圧でも容易に作動して流路を開放する低圧可動部を有し、
前記低圧可動部は、前記ガイド構造によって誘導された排水が流入する位置に配置されていることを特徴とする請求項１に記載の排水配管である。
【００１３】
請求項３に記載の本発明は、上流からの排水を下流へと排出する排水配管であって、
排水の流入を誘導するガイド構造と、
通常時には排水流路を閉塞することによって下流側からの臭気や流体等の逆流を防止し、且つ上流からの圧力付与時には流路を開放することによって排水を下流へと排出する逆流防止装置とを有し、
上記逆流防止装置は、上流からの圧力によって作動する弁体を有し、
上記弁体は、上記圧力が低圧でも容易に作動して流路を開放する低圧可動部を有し、
前記低圧可動部は、前記ガイド構造によって誘導された排水が流入する位置に配置されていることを特徴とする排水配管である。
【００１４】
請求項４に記載の本発明は、前記ガイド構造が、上流から流入した排水が渦流を形成するよう付勢することを特徴とする請求項３に記載の排水配管である。
【００１５】
請求項５に記載の本発明は、前記弁体が、略筒状にして弾性を有する素材からなり、
下方に進むにつれて、対向する面に対して漸次近接するよう傾斜を設けた傾斜面と、
前記傾斜面が対向する面と当接することによって形成される開閉部を備えることを特徴とする請求項３又は請求項４に記載の排水配管である。
【００１６】
請求項６に記載の本発明は、前記開閉部の中心近傍が、上流からの排水の当接時において、当該開閉部の端部よりも容易に可動する低圧可動部であることを特徴とする請求項５に記載の排水配管である。
【００１７】
請求項７に記載の本発明は、前記排水配管が、上流側の横管と下流側の縦管が接続される位置に配置されていることを特徴とする請求項１乃至請求項６のいずれか１つに記載の排水配管である。
【発明の効果】
【００１８】
請求項１に記載の本発明においては、水勢等が変化した場合でも排水の流れを安定させることが可能となるため、流量やサイホン現象の発生等をコントロールすることができる。
請求項２に記載の本発明においては、弁体の低圧可動部に排水が流入するよう誘導されるため、弁体等の部材の取り付け方向や排水の水勢等の要素の変動に左右されず、逆流防止装置の作動を良好にできる。
請求項３に記載の本発明においては、ガイド構造によって排水が誘導される位置に弁体の低圧可動部が配置されているため、弁体等の部材の取り付け方向や排水の水勢等の要素の変動に左右されず、逆流防止装置の作動を良好にできる。
請求項４に記載の本発明においては、ガイド構造によって渦流を発生させ、下流側への流れをスムーズにすることができる。
請求項５及び請求項６に記載の本発明においては、弁体の構造を明確化することが可能となる。
請求項７に記載の本発明においては、本発明の排水配管の配置される位置を明確化することができる。
【図面の簡単な説明】
【００１９】
【図１】第一実施形態に係る本発明の排水配管の施工状態を示す断面図である。
【図２】排水配管を示す断面図である。
【図３】図２のＡ-Ａ'断面図である。
【図４】排水配管を構成する各部材を示す分解断面図である。
【図５】接続部材を示す（ａ）平面図、（ｂ）側面断面図である。
【図６】流路形成部材を示す（ａ）側面図、（ｂ）図６（ａ）のＢ-Ｂ'断面図である。
【図７】流路形成部材を示す底面図である。
【図８】第二実施形態に係る本発明の排水配管の施工状態を示す断面図である。
【図９】排水配管を示す断面図である。
【図１０】図９のＡ-Ａ'断面図である。
【図１１】排水配管を構成する各部材を示す分解断面図である。
【図１２】接続部材を示す（ａ）平面図、（ｂ）側面断面図である。
【図１３】流路形成部材を示す（ａ）側面図、（ｂ）図１３（ａ）のＢ-Ｂ'断面図である。
【図１４】流路形成部材を示す底面図である。
【図１５】弁体を示す（ａ）側面図、（ｂ）正面図である。
【図１６】弁体の開閉部が閉塞している状態を示す斜視図である。
【図１７】弁体の開閉部が押し広げられた状態を示す斜視図である。
【図１８】第三実施形態に係る本発明の排水配管を示す断面図である。
【図１９】第四実施形態に係る本発明の排水配管を示す断面図である。
【図２０】第五実施形態に係る本発明の排水配管を示す断面図である。
【発明を実施するための形態】
【００２０】
以下、図面を参照しながら本発明の排水配管を説明する。尚、以下に記載する発明は実施形態の理解を容易にするためのものであり、これによって発明が制限して理解されるものではない。又、特に断りの無い限り、図１を基準として上下左右を説明する。
【００２１】
図１乃至図７に示す本発明の第一実施形態に係る排水配管１は、洗面ボウルやシンク等の槽体（図示せず）に接続された排水流路中であって、上流側の横管１００と下流側の縦管１０１が接続される位置に配置される。
【００２２】
排水配管１は、前記横管１００と縦管１０１を接続する接続部材３と、接続部材３に挿入されて流路を形成する挿入部材１０より構成される。
【００２３】
接続部材３は略円筒状であって、流入口４、流出口５、挿入口６より形成される。
流入口４は接続部材３の径方向外側に向けて突設され、上流側の横管１００とロックナット及びパッキンによって水密に接続されている。
流出口５は接続部材３の下端において軸方向下方に向けて形成されており、下流側の縦管１０１とロックナット及びパッキンによって水密に接続されている。
挿入口６は接続部材３の上端において軸方向上方に向けて形成されており、後述する挿入部材１０が内部に挿入されているとともに、該挿入部材１０とパッキンによって水密に接続されている。又、図５に示すように、挿入口６はその上端において挿入部材１０と係合する突部７が径方向外側に向けて突設されている。突部７は９０度毎に４箇所設けられており、４箇所に形成された突部７の内、対向する位置に配置された２箇所の突部７は残る２箇所の突部７よりも幅広に形成されている。
【００２４】
挿入部材１０は、蓋体１１、流路形成部材１５より構成される。
蓋体１１は前記突部７と係合する溝部１２及び後述する流路形成部材１５の係合爪１６と係合する係合孔１３を有している。上記溝部１２は上記突部７と対応して４箇所設けられており、対向する位置に配置された２箇所の溝部１２は残る２箇所の溝部１２よりも幅広に形成されている。
流路形成部材１５は、上記蓋体１１と係合する係合爪１６と、排水の流入方向を誘導するガイド構造であるガイド部１７ａ、ガイド部１７ｂより構成され、略水平方向から流入した排水の流れを天地方向への流れへと誘導する。（以降において、ガイド部１７ａ、ガイド部１７ｂを合わせて記載する際には「ガイド部１７」と記載する。）
ガイド部１７ａは角度の異なるガイド面ａ１、ガイド面ａ２を有する略くの字状の壁部であり、図３に示すように、施工時には上記ガイド面ａ１が流入口４側に位置するように配置されている。又、ガイド面ａ２はガイド面ａ１よりも流路方向に対して鋭角に形成されている。
ガイド部１７ｂは上記ガイド部１７ａに対し、排水流路を挟んで対向する位置であって、接続部材３の中心軸を中心とした回転対称である。従って、ガイド部１７ｂも同様に、角度の異なるガイド面ｂ１、ガイド面ｂ２を有する略くの字状の壁部である。（即ち、上記ガイド面ｂ１はガイド面ａ１と対応し、ガイド面ｂ２はガイド面ａ２と対応している。）
【００２５】
図１乃至図３に示す施工状態においては、上記ガイド部１７の内、ガイド面ａ１及びガイド面ｂ２は挿入部材１０が接続部材３内に挿入された際に、流入口４より流入した排水を接続部材３の中央（中心軸）へ向けて誘導すると共に、渦流を形成するよう付勢する。
一方、接続部材３の突部７と蓋体１１の溝部１２はそれぞれ対応して設けられているため、施工の際には挿入部材１０を１８０度反転させて固定することができる。従って、当該１８０度反転させて固定した際には、ガイド面ａ２及びガイド面ｂ１が流入口４側に配置され、流入口４より流入した排水を接続部材３の中央（中心軸）へと誘導すると共に、渦流を形成するよう付勢する。
【００２６】
上記各部材より構成される本発明の第一実施形態に係る排水配管１は、以下のように施工される。
まず、接続部材３をロックナット及びパッキンを使用して上流側の横管１００及び縦管１０１に水密に接続する。
次に、蓋体１１の係合孔１３に流路形成部材１５の係合爪１６を係合させることで蓋体１１、流路形成部材１５をそれぞれ連結させ、挿入部材１０を形成する。
そして、上記接続部材３の挿入口６より上記挿入部材１０を挿入し、接続部材３の突部７に対して蓋体１１の溝部１２を押し当てた状態で蓋体１１を回転させることによって挿入部材１０を固定し、排水配管１の施工が完了する。尚、施工完了時には流路形成部材１５の上端に取り付けられたパッキンが接続部材３の内璧に当接して排水流路を形成する。
又、上記施工が完了した状態において、流路形成部材１５のガイド部１７のガイド面ａ１、ガイド部ｂ２は流入口４側であって、流入口４を挟むように配置され、排水を誘導する。
【００２７】
尚、上述の通り接続部材３の突部７と蓋体１１の溝部１２はそれぞれ対応して４箇所設けられているため、施工の際には挿入部材１０を１８０度反転させた状態でも固定することができる。この時、流入口４側にはガイド面ａ２及びガイド面ｂ１が流入口４側に配置されて排水を誘導する。
【００２８】
上記排水配管１の施工が完了した状態における排水の流れは以下のようになる。
設備機器等の使用により槽体（図示せず）に排水が発生した場合、該排水は槽体の排水口より横管１００を通り、該横管１００を通じて流入口４より排水配管１へと流入する。
そして、流入口４より流入した排水はガイド面ａ１及びガイド面ｂ２に当接して配管（接続部材３）の中央へ向けて流れが誘導されるとともに、渦流を生じさせながら自重によって天地方向へと流れを変化させ、流出口５より下流側に接続された縦管１０１へと排出される。
【００２９】
この時、上記ガイド部１７によって誘導された排水は渦流となっているため、スムーズに下流へと流れる。
【００３０】
以上、本発明の排水配管１においては、上流より流入した排水を管体の中央へと誘導すると共に、該排水が渦流を形成するよう付勢するガイド構造を備えているため、設備機器の使用により生じた排水の水勢等が変化した場合でも、安定した排水性能を発揮することができる。
【００３１】
又、上記第一実施形態におけるガイド構造によれば、流出口５（及びその下流に接続された縦管１０１）の内壁に排水が当接し難いため、内壁への汚れの付着を抑えることができると共に、配管内が満水状態になることを防ぎ、サイホン現象の発生をコントロールすることができる。
【００３２】
又、上記ガイド構造は下記第二実施形態のように、ガイド構造によって誘導された排水が流入する位置に逆流防止装置等の装置が配置されている場合に特に有用である。
【００３３】
次に、図８乃至図１７を用いて本発明の第二実施形態を説明する。本発明の第二実施形態に係る排水配管１は、洗面ボウルやシンク等の槽体（図示せず）に接続された排水流路中であって、上流側の横管１００と下流側の縦管１０１が接続される位置に配置される。
【００３４】
排水配管１は、前記横管１００と縦管１０１を接続する接続部材３と、接続部材３に挿入されて流路を形成する挿入部材１０より構成される。
【００３５】
接続部材３は略円筒状であって、流入口４、流出口５、挿入口６より形成される。
流入口４は接続部材３の径方向外側に向けて突設され、上流側の横管１００とロックナット及びパッキンによって水密に接続されている。
流出口５は接続部材３の下端において軸方向下方に向けて形成されており、下流側の縦管１０１とロックナット及びパッキンによって水密に接続されている。
挿入口６は接続部材３の上端において軸方向上方に向けて形成されており、後述する挿入部材１０が内部に挿入されているとともに、該挿入部材１０とパッキンによって水密に接続されている。又、図１２に示すように、挿入口６はその上端において挿入部材１０と係合する突部７が径方向外側に向けて突設されている。突部７は９０度毎に４箇所設けられており、４箇所に形成された突部７の内、対向する位置に配置された２箇所の突部７は残る２箇所の突部７よりも幅広に形成されている。
【００３６】
挿入部材１０は、蓋体１１、流路形成部材１５より構成され、後述する弁体２０が取り付けられている。
蓋体１１は前記突部７と係合する溝部１２及び後述する流路形成部材１５の係合爪１６と係合する係合孔１３を有している。上記溝部１２は上記突部７と対応して４箇所設けられており、対向する位置に配置された２箇所の溝部１２は残る２箇所の溝部１２よりも幅広に形成されている。
流路形成部材１５は、上記蓋体１１と係合する係合爪１６と、排水の流入方向を誘導するガイド構造であるガイド部１７ａ、ガイド部１７ｂより構成され、略水平方向から流入した排水の流れを天地方向への流れへと誘導する。（以降において、ガイド部１７ａ、ガイド部１７ｂを合わせて記載する際には「ガイド部１７」と記載する。）
ガイド部１７ａは角度の異なるガイド面ａ１、ガイド面ａ２を有する略くの字状の壁部であり、図１０に示すように、施工時には上記ガイド面ａ１が流入口４側に位置するように配置されている。又、ガイド面ａ２はガイド面ａ１よりも流路方向に対して鋭角に形成されている。
ガイド部１７ｂは上記ガイド部１７ａに対し、排水流路を挟んで対向する位置であって、接続部材３の中心軸を中心とした回転対称である。従って、ガイド部１７ｂも同様に、角度の異なるガイド面ｂ１、ガイド面ｂ２を有する略くの字状の壁部である。（即ち、上記ガイド面ｂ１はガイド面ａ１と対応し、ガイド面ｂ２はガイド面ａ２と対応している。）
【００３７】
図８乃至図１０に示す施工状態においては、上記ガイド部１７の内、ガイド面ａ１及びガイド面ｂ２は挿入部材１０が接続部材３内に挿入された際に、流入口４より流入した排水を接続部材３の中央（中心軸）へ向けて誘導すると共に、渦流を形成するよう付勢する。
一方、接続部材３の突部７と蓋体１１の溝部１２はそれぞれ対応して設けられているため、施工の際には挿入部材１０を１８０度反転させて固定することができる。従って、当該１８０度反転させて固定した際には、ガイド面ａ２及びガイド面ｂ１が流入口４側に配置され、流入口４より流入した排水を接続部材３の中央（中心軸）へと誘導すると共に、渦流を形成するよう付勢する。
【００３８】
弁体２０はシリコン等の弾性素材より形成され、図１５に示すように、側面視略三角形状且つ正面視略四角形状であって上記接続部材３と軸を同じくし、取付部２１、傾斜面２２、開閉部２３、リブ２４より構成される。
取付部２１は傾斜面２２の上流側に備えられており、外周及び内周が拡径する部分を有し、弁体２０は当該拡径部分によって、前記流路形成部材１５のフランジ部分と嵌着して取り付けられる。又、取付部２１の外周には凸条２５が全周に亘り形成されている。
傾斜面２２はその正面及び背面において、弁体２０の上方近傍より下方に向け、対向する面に対して漸次近接するように形成されており、当該傾斜面２２同士が当接することによって開閉部２３が形成されている。
開閉部２３は上記傾斜面２２同士の当接位置より下端にかけて垂設されている。即ち、開閉部２３は円筒の一端を押し潰し、軸上で重ね合わせた形状をしている。当該開閉部２３は内側（上流側）から圧力が付与されておらず、又、下流からも一定の圧力（負圧）が付与されていない状態（以下、「通常時」）において閉塞している。又、開閉部２３の中心近傍は端部（筒側面２７側）よりも低圧でも作動する低圧可動部２６として構成されている。即ち、開閉部２３の低圧可動部２６は接続部材３の中心軸上であって、前記ガイド部１７によって誘導された排水が流入する位置に配置されている。
筒側面２７は、上記傾斜面２２と隣接する側面であり、リブ２４を計４箇所に備えている。
リブ２４は弁体２０の軸方向に対して平行に設けられた肉厚部分であって、弁体２０の他の部分よりも高い剛性、特に弁体２０の軸方向の圧力に対して強い剛性を有する。
【００３９】
ここで、上記弁体２０は図１６に示すように、通常時には開閉部２３が閉塞を維持するため下流側からの臭気や排水、害虫等の逆流を防止することができる。一方で、排水等によって弁体２０の上流から圧力が付与された際には、当該排水等が弁体２０の開閉部２３を押し広げることにより図１７に示すように開閉部２３が作動し、流路が開放されるとともに、上流からの排水等が開閉部２３を通過する。（即ち、弁体２０は上流から一定の正圧が付与された際にのみ流路を開放する逆流防止装置として機能する。）
【００４０】
尚、開閉部２３が流路を開放した際には、図１７に示すように、開閉部２３の中心近傍の低圧可動部２６は大きく変形するが、開閉部２３の端部（筒側面２７側）はほとんど変形しない。
【００４１】
即ち、低圧可動部２６は開閉部２３端部よりも低圧でも押し広げることが可能であるとともに、作動した際には大きく変形し、開閉部２３端部よりも幅広に流路を形成する。
【００４２】
上記各部材より構成される本発明の第二実施形態に係る排水配管１は、以下のように施工される。
まず、接続部材３をロックナット及びパッキンを使用して上流側の横管１００及び縦管１０１に水密に接続する。
次に、蓋体１１の係合孔１３に流路形成部材１５の係合爪１６を係合させ、挿入部材１０を形成するとともに、流路形成部材１５の下端に設けられたフランジ部に弁体２０の取付部２１を嵌着させることで蓋体１１、流路形成部材１５、弁体２０をそれぞれ連結させる。
そして、上記接続部材３の挿入口６より上記挿入部材１０を挿入し、接続部材３の突部７に対して蓋体１１の溝部１２を押し当てた状態で蓋体１１を回転させることによって挿入部材１０を固定し、排水配管１の施工が完了する。尚、施工完了時には流路形成部材１５の上端に取り付けられたパッキン、及び弁体２０の凸条２５が接続部材３の内璧に当接して排水流路を形成する。
又、上記施工が完了した状態において、流路形成部材１５のガイド部１７のガイド面ａ１、ガイド部ｂ２は流入口４側であって、流入口４を挟むように配置され、排水を誘導する。
【００４３】
尚、上述の通り接続部材３の突部７と蓋体１１の溝部１２はそれぞれ対応して４箇所設けられているため、施工の際には挿入部材１０を１８０度反転させた状態でも固定することができる。この時、流入口４側にはガイド面ａ２及びガイド面ｂ１が配置されて、排水を誘導する。
【００４４】
尚、図８乃至図１０においては、発明の理解を容易にするため、弁体２０が正面となるように配置している。
【００４５】
上記排水配管１の施工が完了した状態における排水の流れは以下のようになる。
設備機器等の使用により槽体（図示せず）に排水が発生した場合、該排水は槽体の排水口より横管１００を通り、横管１００を通じて流入口４より排水配管１へと流入する。
流入口４より流入した排水は、ガイド部１７によって形成された排水流路を通り、弁体２０へと流入する。
【００４６】
この時、流入口４より流入した排水はガイド面ａ１及びガイド面ｂ２に当接して配管（接続部材３）の中央へ向けて流れが誘導されるとともに、渦流を生じさせながら自重によって天地方向へと流れを変化させる。そして、該排水（渦流）は配管（接続部材３）の中央に配置された弁体２０の低圧可動部２６に流入する。
【００４７】
上記ガイド部１７を通過し、弁体２０内部へと流入した排水は、弁体２０内部より開閉部２３に対して水勢（若しくは自重）によって圧力を加え、開閉部２３を押し広げる。そして開閉部２３が一時的に開弁状態となることによって流路を開放し、弁体２０内部に流入した排水は開閉部２３を通過し、流出口５より下流側へと排出される。
【００４８】
この時、開閉部２３の低圧可動部２６は上記ガイド部１７によって誘導された排水が流入する位置に配置されているため、弁体２０は常に良好に作動することが可能となる。
【００４９】
即ち、従来であれば、上流より流入した排水が開閉部２３に流入する箇所は水勢や弁体２０の配置される向きによって都度異なるため、低圧では作動し難い開閉部２３の両端に排水が流入してしまう場合があったが、本願発明においては、ガイド構造（ガイド部１７）によって常に低圧可動部２６が配置されている管体の中央に排水が誘導されるため、弁体２０の動作不良は生じない。
【００５０】
上記排水配管１の清掃、メンテナンスを行う際には、蓋体１１の外周を掴んで回転させることにより、挿入部材１０を接続部材３より取り出すことができる。又、弁体２０を流路形成部材１５のフランジ部より取り外すことにより、弁体２０を清掃することが可能である。そして、本発明の排水配管１においては上記の通り、ガイド構造であるガイド部１７を備えるため、清掃後において、再び弁体２０を流路形成部材１５のフランジ部に取り付ける際に、いかなる方向に弁体２０を取り付けたとしても、排水流量は安定している。
【００５１】
本発明の第二実施形態に係る排水配管１は以上のようであるが、本発明は上記第一実施形態及び第二実施形態に係る構造に限られるものではなく、発明の要旨を逸脱しない範囲内において種々の設計変更が可能である。
例えば、上記第一実施形態及び第二実施形態では、ガイド構造は壁部であるガイド部１７より構成されていたが、図１８に示す第三実施形態のように、流入口４からの流路をホース状に形成し、低圧可動部２６の直上まで延長したガイド部１７としても良い。
【００５２】
又、上記各実施形態では、排水配管１は上流側の横管１００と下流側の縦管１０１が接続される位置に配置されていたが、図１９に示す第四実施形態のように、上流側及び下流側において縦管が接続される位置に配置されていても良い。
尚、上記第四実施形態においては、弁体２０の上流側の流路幅が弁体２０の内径よりも小さく形成されたガイド構造であるため、上流からの排水等は弁体２０の低圧可動部２６に流入する。
【００５３】
又、上記各実施形態では、排水配管１に備えられた弁体２０は全て、傾斜面２２同士が当接することによって開閉部２３を形成する構造であったが、図２０に示す第五実施形態のように、略板状であって、一端が回動可能に固定され、他端側が可動する構造の弁体２０であっても良く、又、その他の構造を有する弁体２０であっても良い。
尚、第五実施形態における弁体２０においては、上記固定端よりも他端側の方が低圧であっても容易に動作する低圧可動部２６となる。即ち、使用する弁体２０によって、低圧可動部２６の場所等は形状等によってそれぞれ異なるものであっても良い。
【符号の説明】
【００５４】
１        排水配管
３        接続部材
４        流入口
５        流出口
６        挿入口
７        突部
１０      挿入部材
１１      蓋体
１２      溝部
１３      係合孔
１５      流路形成部材
１６      係合爪
１７      ガイド部
２０      弁体
２１      取付部
２２      傾斜面
２３      開閉部
２４      リブ
２５      凸条
２６      低圧可動部
２７      筒側面
１００    横管
１０１    縦管
ａ１、ａ２、ｂ１、ｂ２  ガイド面
【図１】
2014156754.tif 000003
【図２】
2014156754.tif 000004
【図３】
2014156754.tif 000005
【図４】
2014156754.tif 000006
【図５】
2014156754.tif 000007
【図６】
2014156754.tif 000008
【図７】
2014156754.tif 000009
【図８】
2014156754.tif 000010
【図９】
2014156754.tif 000011
【図１０】
2014156754.tif 000012
【図１１】
2014156754.tif 000013
【図１２】
2014156754.tif 000014
【図１３】
2014156754.tif 000015
【図１４】
2014156754.tif 000016
【図１５】
2014156754.tif 000017
【図１６】
2014156754.tif 000018
【図１７】
2014156754.tif 000019
【図１８】
2014156754.tif 000020
【図１９】
2014156754.tif 000021
【図２０】
2014156754.tif 000022